(57)【要約】【目的】本発明は、建築用パネルとして今までにない施工性を有し、かつ防水機能、断熱機能、結露防止機能、等を形成した建築用パネルに係るものである。【構成】化粧面４の水上側の先端を上方に突出した第１防水片１３と、第１防水片１３の先端を軒側に突出した嵌合片１３ａと、第１防水片１３ａの先端を土台側で上方へ突出した第２防水片１３ｂと、化粧面４の先端を軒側に突出した固定片１５を形成し、化粧面４の土台側の先端を下方に垂下した先端６近傍を下方に突出した最奥片８と、最奥片８の先端を土台側に突出した差込片９と、化粧面４と最奥片８と差込片９とから係合溝１０を形成した建築用パネルＡである。【選択図】        図１
2004360346.tif 000002
【特許請求の範囲】
【請求項１】
化粧面の水上側の先端を上方に突出した第１防水片と、該第１防水片の先端を軒側に突出した嵌合片と、第１防水片の先端を土台側で上方へ突出した第２防水片と、化粧面の先端を軒側に突出した固定片を形成し、化粧面の土台側の先端を下方に垂下した先端近傍を下方に突出した最奥片と、該最奥片の先端を土台側に突出した差込片と、化粧面と最奥片と差込片とから係合溝を形成したことを特徴とする建築用パネル。
【発明の詳細な説明】
【０００１】
【発明の属する技術分野】
本発明は、建築用パネルとして今までにない施工性を有し、かつ防水機能、断熱機能、結露防止機能、等を形成した建築用パネルに係るものである。
【０００２】
【従来の技術】
一般に、金属製板材をロール成形、プレス成形等して加工した建築用パネルは数多く上市され、その形状は、所謂落とし込み構造であった。（例えば、特許文献１〜５参照）。
【０００３】
【特許文献１】
特開平１１−１７２８８４号公報
【特許文献２】
特開平１１−１７２８９２号公報
【特許文献３】
特開平１１−２１０１４９号公報
【特許文献４】
特開２００２−２２０９０８号公報
【特許文献５】
特開２００２−２３５４２３号公報
【０００４】
【発明が解決しようとする課題】
特許文献１〜５は落とし込み構造であるが、嵌合構造が単純で係合力、気密性、等に弱点があった。
【０００５】
【課題を解決するための手段】
本発明はこのような欠点を解決するために、化粧面の水上側の先端を上方に突出した第１防水片と、第１防水片の先端を軒側に突出した嵌合片と、第１防水片の先端を土台側で上方へ突出した第２防水片と、化粧面の先端を軒側に突出した固定片を形成し、化粧面の土台側の先端を下方に垂下した先端近傍を下方に突出した最奥片と、最奥片の先端を土台側に突出した差込片と、化粧面と最奥片と差込片とから係合溝を形成した建築用パネルを提供するものである。
【０００６】
【発明の実施の形態】
以下に図面を用いて本発明に係る建築用パネルについて詳細に説明する。図１は金属製建築用パネルＢと裏打材Ｃよりなる建築用パネルＡの代表的一例を示す説明図、図２（ａ）、（ｂ）は建築用パネルＡの施工状態を示す説明図である。図中、αは下地、βは釘等の固定具を示している。
【０００７】
下地αは、新築の際は図２（ａ）、（ｂ）に示すように躯体１、胴縁２、防水シート３から構成した木造下地を示したものである。すなわち、躯体１上に胴縁２を敷設し、胴縁２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の壁をそのまま改修する際には、これら下地α上に既存壁（図示せず）が形成された既存壁構造が下地αとなるものである。勿論、防水シート３を形成しない下地αでも良いものである。
【０００８】
金属製建築用パネルＢは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、建築用パネルＡの表面材として、金属製建築用パネルＢの代わりに窯業系素材、もしくは合成樹脂材（プラスチック）、等で形成してもよいものである。
【０００９】
さらに説明すると、金属製建築用パネルＢは長尺板状であり、図１に示すように、略水平面状の化粧面４と、裏面５と、化粧面４の先端６を化粧面４に沿って内側方に突出した上面７と、上面７の先端を下方に突出した最奥片８と、最奥片８の先端を水下側に突出した差込片９と、上面７と最奥片８と差込片９とから略コ字状の係合溝１０を形成し、上面７と係合溝１０により挿入間隙１１を形成して雄型連結部１２としたものである。
【００１０】
また、図１に示すように、化粧面４の水上側端部分には、化粧面４の上端部分をさらに水上側に突出し、先端を水下側に垂下した固定片１５と、固定片１５の下端を上方に屈曲した第１防水片１３と、第１防水片１３の先端を水上側に突出した上面１４と、上面１４と固定面１５とから断面略コ字状に形成した前記差込片９と嵌合する嵌合溝１６と、上面１４の先端を水下側に屈曲した嵌合片１３ａと、嵌合片１３ａの先端を、水下側でかつ上方へ突出した第２防水片１３ｂとから雌型連結部１７を形成したものである。
【００１１】
第１防水片１３は、上側に屈曲することにより防水機能を付加すると共に、嵌合片１３ａの一部としても機能する部分である。
【００１２】
第２防水片１３ｂは建築用パネルＡに吹き付ける雨、風が、直接建築用パネルＡの上面７に吹き付けるのを防止し、建築用パネルＡが風により剥がされるのを防止するものである。つまり、図３に示すように、風が矢印に示すように吹き付けると、下段の建築用パネルＡの第２防水片１３ｂは風により一点鎖線矢印アに示すように防水片１３の先端を中心に回転するように浮き上がる力が働くが、逆に上面１４が一点鎖線矢印イに示すように上段の建築用パネルＡの差込片９を押さえ込むような力が働き係合力が強化され、建築用パネルＡが風により剥がされるのを防止するものである。
【００１３】
このように、建築用パネルＡ同士の連結部内で相対する力が相殺されるために、建築用パネルＡが破壊されたり、固定片１５に形成した固定具βが下地αより抜け落ちない限り、建築用パネルＡが風により剥がされることはないものである。
【００１４】
第２防水片１３ｂは、防水片１３の先端より水下側へ突出することにより、断面コ字状の空間γを形成し、この空間γにより入ってこようとする風雨を、逆方向に回転させて排出し、防水性を向上するための形成したものである。
【００１５】
裏打材Ｃは防水材、断熱材、吸音材、緩衝材、防火材、結露防止材、等として機能するものであり、不織布、合成樹脂製発泡シート（架橋化発泡ポリエチレンシート、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。特に不織布は、縦糸と横糸を交差させて繊維から織物にする従来の方法と異なり、各種の繊維を接着剤等で結合した不織布等である。この不織布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１６】
以上説明したのは本発明に係る建築用パネルの一実施例にすぎず、図４（ａ）〜（ｅ）〜図８（ａ）〜（ｃ）に示すように建築用パネルＡを形成することもできる。
【００１７】
【発明の効果】
以上説明したように、本発明に係る建築用パネルによれば、▲１▼第１防水片と第２防水片を形成した嵌合片が建築用パネルを落とし込み構造としても、防水性を維持できる。▲２▼上段の建築用パネルを下段の建築用パネルへ施工した際に、下段の建築用パネルの第２防水片が上段の建築用パネルの上面に接触し、常時第２防水片が係合溝内でスプリングバック効果を発揮し、防水性、気密性を向上するものである。▲３▼第２防水片の形成により、建築用パネル同士の連結部内で相対する力が相殺されるために、建築用パネルが破壊されたり、固定片に形成した固定具が下地より抜け落ちない限り、建築用パネルが風により剥がされることはない。等の特徴、効果がある。
【図面の簡単な説明】
【図１】本発明に係る建築用パネルの代表的一例を示す説明図である。
【図２】本発明に係る建築用パネルの施工状態を示す説明図である。
【図３】本発明に係る建築用パネルの施工状態を示す説明図である。
【図４】本発明に係る建築用パネルのその他の実施例を示す説明図である。
【図５】本発明に係る建築用パネルのその他の実施例を示す説明図である。
【図６】本発明に係る建築用パネルのその他の実施例を示す説明図である。
【図７】本発明に係る建築用パネルのその他の実施例を示す説明図である。
【図８】本発明に係る建築用パネルのその他の実施例を示す説明図である。
【符号の説明】
α  下地
β  固定具
γ  空間
Ａ  建築用パネル
Ｂ  金属製建築用パネル
Ｃ  裏打材
１  躯体
２  胴縁
３  防水シート
４  化粧面
５  裏面
６  先端
７  上面
８  最奥片
９  差込片
１０  係合溝
１１  挿入間隙
１２  雄型連結部
１３  第１防水片
１３ａ  嵌合片
１３ｂ  第２防水片
１４  上面
１５  固定片
１６  嵌合溝
１７  雌型連結部
【図１】
2004360346.tif 000003
【図２】
2004360346.tif 000004
【図３】
2004360346.tif 000005
【図４】
2004360346.tif 000006
【図５】
2004360346.tif 000007
【図６】
2004360346.tif 000008
【図７】
2004360346.tif 000009
【図８】
2004360346.tif 000010
【手続補正書】
【提出日】平成16年2月12日(2004.2.12)
【手続補正１】
【補正対象書類名】明細書
【補正対象項目名】００１６
【補正方法】変更
【補正の内容】
【００１６】
以上説明したのは本発明に係る建築用パネルの一実施例にすぎず、図４（ａ）〜（ｅ）〜図８（ａ）〜（ｃ）に示すように建築用パネルＡを形成することもできる。また、裏打材Ｃはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板、等よりなるもの、さらにはこれらの複合板よりなるものである。さらに、シートＤは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【手続補正２】
【補正対象書類名】図面
【補正対象項目名】全図
【補正方法】変更
【補正の内容】
【図１】
2004360346.tif 000011
【図２】
2004360346.tif 000012
【図３】
2004360346.tif 000013
【図４】
2004360346.tif 000014
【図５】
2004360346.tif 000015
【図６】
2004360346.tif 000016
【図７】
2004360346.tif 000017
【図８】
2004360346.tif 000018